(57)【要約】【課題】  人や物などの管理対象が建物や部屋に入るのか、または、建物や部屋から出るのかの区別を可能にする出入り管理システムおよび出入り管理方法を提供する。【解決手段】  出入り口を通る社員に所持され、社員を識別する社員番号を読み取り可能に記憶するＩＣタグ１と、出入り口の外側に設けられて、出入り口の外側にＩＣタグ１が在るときにＩＣタグ１から社員番号を読み取る外部アンテナ３と、出入り口の内側に設けられて、出入り口の内側にＩＣタグ１が在るときにＩＣタグ１から社員番号を読み取る第２のアンテナと、外部アンテナ３と内部アンテナ２が読み取った社員番号の読み取り時間の違いにより出入り口に対するＩＣタグ１の出入りを判定する読み取り装置４と管理端末５を備える。【選択図】  図１
2009003894.tif 000002
【特許請求の範囲】
【請求項１】
出入り口を通る管理対象に所持され、該管理対象を識別する識別情報を読み取り可能に記憶する情報媒体と、
前記出入り口の外側に設けられて、該出入り口の外側に前記情報媒体が在るときに該情報媒体から識別情報を読み取る第１のアンテナと、
前記出入り口の内側に設けられて、該出入り口の内側に前記情報媒体が在るときに該情報媒体から識別情報を読み取る第２のアンテナと、
前記第１のアンテナと前記第２のアンテナが読み取った識別情報の読み取り時間の違いにより前記出入り口に対する前記情報媒体の出入りを判定する処理手段と、
を備えることを特徴とする出入り管理システム。
【請求項２】
前記処理手段は、前記第１のアンテナが識別情報を読み取った後で該識別情報を前記第２のアンテナが読み取ると、該識別情報を記憶する前記情報媒体が前記出入り口の外側から内側に向かって通ったと判定し、前記第２のアンテナが識別情報を読み取った後で該識別情報を前記第１のアンテナが読み取ると、該情報媒体が前記出入り口の内側から外側に向かって通ったと判定することを特徴とする請求項１に記載の出入り管理システム。
【請求項３】
前記情報媒体はＩＣタグであり、前記処理手段は前記第１のアンテナおよび前記第２のアンテナから電磁界を送信することにより前記ＩＣタグから識別情報を読み取ることを特徴とする請求項１または２に記載の出入り管理システム。
【請求項４】
出入り口を通る管理対象に所持され、該管理対象を識別する識別情報を読み取り可能に記憶する情報媒体を用いた出入り管理方法であって、
前記出入り口の外側に設けられた第１のアンテナから、該出入り口の外側に前記情報媒体が在るときに該情報媒体から識別情報を読み取り、
前記出入り口の内側に設けられた第２のアンテナから、該出入り口の内側に前記情報媒体が在るときに該情報媒体から識別情報を読み取り、
前記第１のアンテナと前記第２のアンテナが読み取った識別情報の読み取り時間の違いにより前記出入り口に対する前記情報媒体の出入りを判定する、
ことを特徴とする出入り管理方法。
【発明の詳細な説明】
【技術分野】
【０００１】
この発明は、ＩＣ（Ｉｎｔｅｇｒａｔｅｄ  Ｃｉｒｃｕｉｔ）タグを用いて建物や部屋などの出入り口に対する出入りを管理する出入り管理システムおよび出入り管理方法に関する。
【背景技術】
【０００２】
ＩＣタグは半導体集積回路と小型アンテナで構成され、半導体集積回路に記憶された情報を無線でＩＣタグから読み取ることができる。このようなＩＣタグは入退室管理やゲート通過管理のために利用されている（例えば、特許文献１参照。）。具体的には、建物や部屋の出入り口を囲うドア枠にループ状のアンテナを設け、このアンテナをリード／ライトユニットに接続する。リード／ライトユニットは、アンテナから電磁界を出力して、ＩＣタグの半導体集積回路が記憶する情報を読み出す。こうして読み取った情報を基にして、建物や部屋に出入りする人や物を管理する。
【特許文献１】特開平１１−４１１５２号公報
【発明の開示】
【発明が解決しようとする課題】
【０００３】
しかし、ＩＣタグを利用した従来の入退室管理やゲート通過管理には、次の課題がある。従来技術は建物や部屋に出入りする人や物を管理するだけであり、人や物などの管理対象が建物や部屋に入るのか、または、建物や部屋から出るのかまでを区別することはできない。この結果、例えば建物や部屋から避難するような事態が発生したときに、建物や部屋に人が残っているかどうかを調べることができない。
【０００４】
この発明の目的は、前記の課題を解決し、人や物などの管理対象が建物や部屋に入るのか、または、建物や部屋から出るのかの区別を可能にする出入り管理システムおよび出入り管理方法を提供することにある。
【課題を解決するための手段】
【０００５】
前記の課題を解決するために、請求項１の発明は、出入り口を通る管理対象に所持され、該管理対象を識別する識別情報を読み取り可能に記憶する情報媒体と、前記出入り口の外側に設けられて、該出入り口の外側に前記情報媒体が在るときに該情報媒体から識別情報を読み取る第１のアンテナと、前記出入り口の内側に設けられて、該出入り口の内側に前記情報媒体が在るときに該情報媒体から識別情報を読み取る第２のアンテナと、前記第１のアンテナと前記第２のアンテナが読み取った識別情報の読み取り時間の違いにより前記出入り口に対する前記情報媒体の出入りを判定する処理手段とを備えることを特徴とする出入り管理システムである。
【０００６】
請求項１の発明では、出入り口を通る管理対象を識別する識別情報を情報媒体が読み取り可能にあらかじめ記憶している。そして、この情報媒体が例えば通行証に貼り付けられている。また、第１のアンテナが出入り口の外側に設けられ、第２のアンテナが出入り口の内側に設けられている。こうした状態のときに、第１のアンテナは出入り口の外側に情報媒体が在るときに情報媒体から識別情報を読み取り、第２のアンテナは出入り口の内側に情報媒体が在るときに情報媒体から識別情報を読み取る。処理手段は、第１のアンテナと第２のアンテナが読み取った識別情報の読み取り時間の違いにより出入り口に対する情報媒体の出入りを判定する。
【０００７】
請求項２の発明は、請求項１に記載の出入り管理システムにおいて、前記処理手段は、前記第１のアンテナが識別情報を読み取った後で該識別情報を前記第２のアンテナが読み取ると、該識別情報を記憶する前記情報媒体が前記出入り口の外側から内側に向かって通ったと判定し、前記第２のアンテナが識別情報を読み取った後で該識別情報を前記第１のアンテナが読み取ると、該情報媒体が前記出入り口の内側から外側に向かって通ったと判定することを特徴とする。
【０００８】
請求項３の発明は、請求項１または２に記載の出入り管理システムにおいて、前記情報媒体はＩＣタグであり、前記処理手段は前記第１のアンテナおよび前記第２のアンテナから電磁界を送信することにより前記ＩＣタグから識別情報を読み取ることを特徴とする。
【０００９】
請求項４の発明は、出入り口を通る管理対象に所持され、該管理対象を識別する識別情報を読み取り可能に記憶する情報媒体を用いた出入り管理方法であって、前記出入り口の外側に設けられた第１のアンテナから、該出入り口の外側に前記情報媒体が在るときに該情報媒体から識別情報を読み取り、前記出入り口の内側に設けられた第２のアンテナから、該出入り口の内側に前記情報媒体が在るときに該情報媒体から識別情報を読み取り、前記第１のアンテナと前記第２のアンテナが読み取った識別情報の読み取り時間の違いにより前記出入り口に対する前記情報媒体の出入りを判定することを特徴とする出入り管理方法である。
【発明の効果】
【００１０】
請求項１、４の発明によれば、出入り口の内側と外側にアンテナをそれぞれ設け、アンテナが読み取った識別情報の読み取り時間の違いにより、出入り口に対する情報媒体の出入りを判定するので、情報媒体を所持する人などの管理対象が建物や部屋に入るのか、または、出るのかを区別することができる。
【００１１】
請求項２の発明によれば、２つのアンテナが識別情報を読み取る順序により、情報媒体を所持する管理対象が建物や部屋に入るのか、または、出るのかを判定するので、判定のための処理を簡単化することができる。
【００１２】
請求項３の発明によれば、情報媒体にＩＣタグを用いるので、情報媒体にはバッテリ等の電源を不要にして、情報媒体の取り扱いを容易にすることができる。
【発明を実施するための最良の形態】
【００１３】
次に、この発明の実施の形態について、会社が所在する建物に出入りする管理対象が社員である場合を例として用いて詳しく説明する。
【００１４】
（実施の形態１）
この実施の形態による出入り管理システムを図１に示す。図１の出入り管理システムは、建物の出入り口に設置されて用いられる。この出入り管理システムは、ＩＣタグ１と、内部アンテナ２および外部アンテナ３と、読み取り装置４と、管理端末５を備えている。読み取り装置４は通信線６によって管理端末５に接続されている。
【００１５】
ＩＣタグ１は、建物に出入りする社員の通行証などに貼り付けられ、図１にはその１つが記載されている。ＩＣタグ１は、アンテナ１１と制御部１２とを備えている。アンテナ１１は内部アンテナ２や外部アンテナ３から送信される電磁界を受信する。そして、アンテナ１１は、受信した電磁界の電力を制御部１２に供給する。制御部１２は、半導体集積回路で形成されている。制御部１２は、メモリ機能を持ち、社員の識別情報である社員番号をあらかじめ記憶している。制御部１２は、アンテナ１１から電力供給を受けると動作し、あらかじめ記憶している社員番号を読み出し、この社員番号をアンテナ１１から電磁界により送信する。
【００１６】
内部アンテナ２は、図２に示すように、建物１００の出入り口の内部壁面に取り付けられ、外部アンテナ３は建物１００の出入り口の外部壁面に取り付けられている。なお、建物１００の出入り口の枠体１００Ａには扉１０１が設置されている。内部アンテナ２は、建物１００の内壁面に取り付けられているので、建物１００の内部にあるＩＣタグ１と電磁界の送受信を行い、外部アンテナ３は、建物１００の外壁面に取り付けられているので、建物１００の外部にあるＩＣタグ１と電磁界の送受信をする。内部アンテナ２および外部アンテナ３による電磁界の送受信は読み取り装置４の制御によって行われる。
【００１７】
読み取り装置４は、建物１００の出入り口付近に、かつ、建物１００の内壁面に取り付けられている（図２）。読み取り装置４は、制御部４１と通信部４２とを備えている。制御部４１はメモリ機能を持ち、内部アンテナ２と外部アンテナ３とを識別するためのアンテナ識別情報を記憶している。このアンテナ識別情報を図３に示す。図３のアンテナ識別情報では、各アンテナを識別するためにアンテナ番号が用いられ、内部アンテナ２には例えばアンテナ番号「１００１０」が割り当てられ、外部アンテナ３には例えばアンテナ番号「１００２０」が割り当てられている。以下では図３のアンテナ識別情報を用いる。
【００１８】
制御部４１は、ＩＣタグ１から識別情報を読み出すために、内部アンテナ２および外部アンテナ３から電磁界を送信する。また、内部アンテナ２や外部アンテナ３が電磁界により社員番号を受信すると、制御部４１は、社員番号を受信したアンテナのアンテナ番号（図３）を社員番号に付加して検出情報を生成し、この検出情報を通信部４２に送る。通信部４２は通信線６を経由して管理端末５とデータ送信を行う。通信部４２は、制御部４１から検出情報を受け取ると、この検出情報を管理端末５に送信する。
【００１９】
管理端末５は、建物１００の例えば管理室に設置されて、管理者に使用される。管理端末５は、処理部５１、通信部５２、入力部５３、記憶部５４、表示部５５および時計部５６を備えている。通信部５２、入力部５３、記憶部５４、表示部５５および時計部５６は、バス５７を経由して処理部５１に接続されている。入力部５３は管理者により操作されるキーボードやマウスのような装置である。入力部５３には、社員の出入り状態を表示するための指示などが入力される。表示部５５は、処理部５１の制御によって、管理対象者の出入り状態などを表示する表示装置である。通信部５２は通信線６を経由して読み取り装置４の通信部４２に接続されている。通信部５２は、読み取り装置４から社員番号を受信すると、この社員番号を処理部５１に送る。時計部５６は時刻を計るものである。
【００２０】
記憶部５４は、出入り管理に必要とする各種の情報を記憶し、また、情報を一時的に記憶する仮記憶領域を持つ。この仮記憶領域は処理部５１から受け取った検出情報を記録するためのものであり、この仮記憶領域を図４に示す。図４の仮記憶領域には、検出情報を受け取った順に付けられる番号が「登録番号」記録され、最初に受け取った検出情報を「先受信」に記録する。つまり、検出情報の社員番号とアンテナ番号が「社員番号」と「アンテナ番号」にそれぞれ記録される。また、検出情報を受け取った時刻が「受信時刻」に記録される。次に処理部５１が受け取った検出情報の社員番号が「先受信」の社員番号と同じである場合、この検出情報は「後受信」に記録される。つまり、次に処理部５１が受け取った検出情報のアンテナ番号が「後受信」の「アンテナ番号」に記録される。検出情報を受け取った時刻が「後受信」の「受信時刻」に記録される。こうして、「先受信」の情報と「後受信」の情報とからなる登録情報が「登録番号」の番号順に記録される。また、登録情報の内容が後述する出入り管理情報に記録されると、「参照済み」が「１」にされてフラグが立てられる。
【００２１】
記憶部５４は、出入りの管理対象である社員に関する情報を社員情報として記憶している。この社員情報を図５に示す。図５の社員情報には、各社員の識別情報として識別番号が「社員番号」に記録され、社員の詳細情報が「氏名」、「住所」、「年齢」、「所属」などに記録されている。
【００２２】
記憶部５４は、管理対象である社員の建物１００への出入りを出入り管理情報として記憶している。この出入り管理情報を図６に示す。図６の出入り管理情報は日毎に作成され記憶部５４に蓄積される。図６の出入り管理情報には、各社員の識別番号が「社員番号」に記録され、社員の詳細情報が「氏名」や「所属」に記録されている。また、出入り管理情報には、当日に社員が出入り口から建物１００に入ると、「出入り」が「１」にされてフラグが立てられ、建物１００に入った時刻が「入り時刻」に記録される。また、当日に社員が建物１００の出入り口から出ると、「出入り」が「０」にされてフラグが外され、建物１００から出た時刻が「出時刻」に記録される。
【００２３】
処理部５１は、検出情報を用いて受信処理を行い、この後、受信処理で作成した仮記憶領域の登録情報などを用いて出入り管理処理を行う。処理部５１は、受信処理を開始すると、図７に示すように、通信部５２を経由して読み取り装置４から検出情報が入力されるのを待つ（ステップＳ１）。処理部５１は、通信部５２から検出情報を受け取ると（ステップＳ２）、時計部５６の計った時刻を検出情報に付加し（ステップＳ３）、仮想記憶領域（図４）の「先受信」に検出情報を登録する（ステップＳ４）。これにより、検出情報の社員番号が「先受信」の「社員番号」に記録され、検出情報のアンテナ番号が「先受信」の「アンテナ番号」に記録される。また、時計部５６で計った時刻が「先受信」の「受信時刻」に登録される。
【００２４】
ステップＳ4の後、処理部５１は、ステップＳ１と同じように、通信部５２を経由して読み取り装置４から検出情報が入力されるのを待つ（ステップＳ５）。処理部５１は、通信部５２から検出情報を受け取ると（ステップＳ６）、時計部５６の計った時刻を検出情報に付加する（ステップＳ７）。この後、処理部５１は、ステップＳ６で受け取った検出情報の社員番号と、仮想記憶領域（図４）の「先受信」に登録されている社員番号とを対比し（ステップＳ８）、ステップＳ６で受け取った検出情報の社員番号が「先受信」に登録済みかどうかを判断する（ステップＳ９）。ステップＳ６で受け取った検出情報の社員番号が「先受信」に登録済みである場合、処理部５１は、仮想記憶領域（図４）の同じ社員番号の「後受信」に検出情報を登録する（ステップＳ１０）。
【００２５】
ステップＳ１０の後、入力部５３から処理終了の指示がなければ、処理部５１は、処理をステップＳ１に戻す（ステップＳ１１）。ステップＳ１１で、処理の終了の指示があると、処理部５１は受信処理を終了する。
【００２６】
処理部５１は、受信処理で仮想記憶領域（図４）に検出情報を登録すると、出入り管理処理を行う。処理部５１は、出入り管理処理を開始すると、図８に示すように、仮想記憶領域（図４）の「参照済み」にフラグが立てられていない、若番の登録情報を読み出す（ステップＳ２１）。この後、処理部５１は、「前受信」のアンテナ番号と「後受信」のアンテナ番号とを比較し（ステップＳ２２）、「前受信」のアンテナ番号が大きいかどうかを判断する（ステップＳ２３）。ステップＳ２３で「前受信」のアンテナ番号が大きい場合、処理部５１は出入り管理情報（図６）の「出入り」を「１」にしてフラグを立て、社員が建物１００に入ったことを記録し、出入り管理情報（図６）に検出情報を登録すると共に、仮想記憶領域の「参照済み」を「１」にしてフラグを立てる（ステップＳ２４）。これにより、検出情報の社員番号が出入り管理情報の「社員番号」に記録され、仮想記憶領域の例えば「後受信」の受信時刻が出入り管理情報（図６）の「入り時刻」に記録される。
【００２７】
ステップＳ２４の後、処理部５１は、社員番号を用いて社員情報（図５）を参照し、該当するする社員の詳細情報を出入り管理情報（図６）に付加する（ステップＳ２５）。これにより、社員の氏名や所属などの詳細情報が「氏名」や「所属」に記録される。ステップＳ２５の後、処理部５１は、仮想記憶領域（図４）を参照し（ステップＳ２６）、仮想記憶領域（図４）の「参照済み」にフラグが立っていない、次の登録情報の有無を判断する（ステップＳ２７）。ステップＳ２７でフラグが立てられていない、次の登録情報を読み出して（ステップＳ２８）、処理をステップＳ２２に戻す。
【００２８】
一方、ステップＳ２３で、「前受信」のアンテナ番号が「後受信」のアンテナ番号に比べて小さい場合、処理部５１は仮想記憶領域（図４）の「社員番号」に記録されている社員番号と同じ番号を出入り管理情報（図６）から検索し（ステップＳ２９）、出入り管理情報（図６）の該当する番号の「出入り」を「０」にしてフラグを下ろす（ステップＳ３０）。これにより、出入り管理情報（図６）には該当する社員が建物１００の出入り口から出たことが記録され、例えば仮想記憶領域（図４）の「後受信」の受信時刻が「出時刻」に記録される。
【００２９】
一方、ステップＳ２７で登録情報がなければ、処理部５１は処理を終了する。
【００３０】
処理部５１は、仮想記憶領域（図４）の情報が「先受信」だけであり、「後受信」の情報がない場合に削除処理を行う。つまり、処理部５１は、削除処理を開始すると、時計部５６を参照して「先受信」の「受信時刻」から所定時間が経過すると、「先受信」だけしか記録されていない情報を仮想記憶領域（図４）から削除する。
【００３１】
次に、この実施の形態による出入り管理システムの動作について説明する。ここでは、図９に示すように、ほぼ同じ時刻に、社員番号「Ａ００００１」の社員が建物１００の出入り口から出て、社員番号「Ａ００００２」の社員が建物１００の出入り口から内部に入り、社員番号「Ａ００００３」の社員が扉１０１に行ったが引き返す場合を例として説明する。こうした場合、社員番号「Ａ００００１」の社員と社員番号「Ａ００００３」の社員は建物１００内に居るので、出入り管理情報は例えば図１０に示す状態である。図１０の出入り管理情報には、社員番号「Ａ００００２」の社員の情報が記録されていない。
【００３２】
社員番号「Ａ００００２」の社員（図９）が建物１００に入ろうとする場合、読み取り装置４の制御部４１は、建物１００の出入り口の外壁に取り付けられている外部アンテナ３により、通行証に貼り付けられているＩＣタグから社員番号「Ａ００００２」を読み取る。制御部４１は、読み取った社員番号「Ａ００００２」に外部アンテナ３のアンテナ番号「１００２０」を付加して検出情報を生成し、通信部４２を制御して、検出情報を管理端末５に送信する。ほぼ同時に、社員番号「Ａ００００１」の社員が建物１００から出ようとする場合、読み取り装置４の制御部４１は、建物１００の出入り口の内壁に取り付けられている内部アンテナ２により、通行証に貼り付けられているＩＣタグから社員番号「Ａ００００１」を読み取る。制御部４１は、読み取った社員番号「Ａ００００１」に内部アンテナ２のアンテナ番号「１００１０」を付加して検出情報を生成し、通信部４２を制御して、検出情報を管理端末５に送信する。
【００３３】
この後、社員番号「Ａ００００２」の社員（図９）が建物１００の出入り口から内部に入った場合、読み取り装置４の制御部４１は、建物１００の出入り口の内壁に取り付けられている内部アンテナ２により、通行証に貼り付けられているＩＣタグから社員番号「Ａ００００２」を読み取る。制御部４１は、読み取った社員番号「Ａ００００２」に内部アンテナ２のアンテナ番号「１００１０」を付加して検出情報を生成し、通信部４２を制御して、検出情報を管理端末５に送信する。ほぼ同時に、社員番号「Ａ００００１」の社員が建物１００の出入り口から出た場合、読み取り装置４の制御部４１は、建物１００の出入り口の外壁に取り付けられている内部アンテナ２により、通行証に貼り付けられているＩＣタグから社員番号「Ａ００００１」を読み取る。制御部４１は、読み取った社員番号「Ａ００００１」に外部アンテナ３のアンテナ番号「１００２０」を付加して検出情報を生成し、通信部４２を制御して、検出情報を管理端末５に送信する。
【００３４】
社員番号「Ａ００００３」の社員が扉１０１に行ったが引き返す場合、読み取り装置４の制御部４１は、建物１００の出入り口の内壁に取り付けられている内部アンテナ２により、通行証に貼り付けられているＩＣタグから社員番号「Ａ００００３」を読み取る。制御部４１は、読み取った社員番号「Ａ００００３」に内部アンテナ２のアンテナ番号「１００１０」を付加して検出情報を生成し、通信部４２を制御して、検出情報を管理端末５に送信する。この社員は引き返したので、制御部４１が外部アンテナ３から社員番号「Ａ００００３」を読み取ることはない。
【００３５】
管理端末５の処理部５１は、社員番号「Ａ００００１」と社員番号「Ａ００００１」の社員による４つの検出情報を受信し、この後、社員番号「Ａ００００３」の社員の引き返しによる１つの検出情報を読み取り装置４から受信すると、受信処理（図７）を行って、図１１に示すように、検出情報を仮想記憶領域に記録する。
【００３６】
この後、管理端末５の処理部５１は、出入り管理処理を行い、仮想記憶領域（図１１）の中から登録番号が若番の「０１」の登録情報を選択して、出入りの判定を行う。この場合、「先受信」のアンテナ番号「１００２０」が「後受信」のアンテナ番号「１００１０」より大きいので、制御部４１は、出入り管理処理で社員番号「Ａ００００２」の社員（図９）が建物１００の出入り口から内部に入ったと判断して図１０の出入り管理情報を更新し、図１２に示すように、社員番号「Ａ００００２」を出入り管理情報に登録する。また、処理部５１は仮想記憶領域（図１１）の「参照済み」を「１」にしてフラグを立て、「登録番号」が「０１」の登録情報に対する出入り管理処理が終了したことを記録する。
【００３７】
この後、出入り管理処理により、仮想記憶領域（図１１）の登録情報の中から、フラグが立てられていない、登録番号が次の若番「０２」を選択して、出入りの判定を行う。この場合、「先受信」のアンテナ番号「１００１０」が「後受信」のアンテナ番号「１００２０」より小さいので、制御部４１は出入り管理処理で社員番号「Ａ００００１」の社員（図９）が建物１００の出入り口から出たと判断して図１２の出入り管理情報を更新し、図１３に示すように、社員番号「Ａ００００１」の「出入り」を「０」にしてフラグを下げ、社員番号「Ａ００００１」の社員が建物１００の出入り口から出たこを記録する。そして、仮想記憶領域（図１１）の例えば「後受信」の「受信時刻」に記録されている時刻を「出時刻」に記録する。また、処理部５１は仮想記憶領域（図１１）の「参照済み」を「１」にしてフラグを立て、「登録番号」が「０２」の登録情報に対する出入り管理処理が終了したことを記録する。
【００３８】
ところで、管理端末５の処理部５１は、時計部５６を参照し、仮想記憶領域（図１１）の「先受信」の「受信時刻」から所定時間が経過すると、仮想記憶領域（図１１）の「先受信」だけしか記録していない情報、つまり、「登録番号」が「０３」に対応する「先受信」の情報を削除する。
【００３９】
こうして出入り管理情報（図１３）が生成された後、出入り状態を表示するための指示などが入力部５３に入力されると、入力部５３はこの指示を処理部５１に送る。処理部５１は、出入り状態を表示するための指示を受け取ると、処理部５１から出入り管理情報を読み出して表示部５５に表示する。また、処理部５１は、入力部５３に対する指示に応じて、所属毎に出入り管理情報（図１３）を並べ替えて表示部５５に表示する。
【００４０】
こうして、この実施の形態によれば、社員が建物１００の出入り口から内部に入るのか、または、建物１００の出入り口から出るのかを区別することができる。また、社員はＩＣタグ１が貼り付けられた通行証などを身に付けて、建物１００の出入り口を通行すればよいので、スピーディな通行を可能にする。また、複数社員による出入りが同時に発生しても、内部アンテナ２と外部アンテナ３とを用いて社員番号を検出するので、各社員に対する出入りの判定が可能である。
【００４１】
（実施の形態２）
この実施の形態では、実施の形態１の内部アンテナ２および外部アンテナ３の代わりに、ゲートアンテナを用いる。なお、この実施の形態では、実施の形態１と同一もしくは同一と見なされる構成要素には、それと同じ参照符号を付けて、その説明を省略する。図１４に示すように、建物１００の出入り口の内側に、かつ、扉１０１の両側に内部ゲートアンテナ２Ａをそれぞれ設置する。同じように、建物１００の出入り口の外側に、かつ、扉１０１の両側に外部ゲートアンテナ３Ａをそれぞれ設置する。
【００４２】
２つの内部ゲートアンテナ２Ａは実施の形態１の内部アンテナ２（図２）に相当するものであり、内部にループ状のアンテナをそれぞれ持つ。２つの内部ゲートアンテナ２Ａは建物１００の出入り口の内部に在るＩＣタグ１と電磁界の送受信を行う。同じく、２つの外部ゲートアンテナ３Ａは実施の形態１の外部アンテナ３（図２）に相当するものであり、ループ状のアンテナをそれぞれ内部に持つ。２つの外部ゲートアンテナ３Ａは建物１００の出入り口の外部に在るＩＣタグ１と電磁界の送受信をする。
【００４３】
こうした内部ゲートアンテナ２Ａと外部ゲートアンテナ３Ａとを用いても、実施の形態１と同様に、社員の出入りを管理することができる。
【００４４】
以上、この発明の実施の形態１、２を詳述してきたが、具体的な構成はこれらの実施の形態に限られるものではなく、この発明の要旨を逸脱しない範囲の設計の変更等があっても、この発明に含まれる。例えば、各実施の形態では、管理対象が社員であったが、荷物などを対象とした物流にもこの発明を用いることができる。また、各実施の形態では、電池を持たないタイプのＩＣタグ１を利用したが、電池を持つタイプのＩＣタグも利用することができる。さらに、各実施の形態では、建物１００の出入り口に内部アンテナ２と外部アンテナ３を設置したが、建物１００内の部屋の出入り口に内部アンテナ２と外部アンテナ３を設置して、この部屋に対する出入りの様子を判定するようにしてもよい。
【図面の簡単な説明】
【００４５】
【図１】この発明の実施の形態による出入り管理システムを示す構成図である。
【図２】アンテナの設置の様子を示す図であり、図２（ａ）は建物の出入り口の正面図、図２（ａ）は建物の出入り口の断面図である。
【図３】アンテナ識別情報の一例を示す図である。
【図４】仮記憶領域の一例を示す図である。
【図５】社員情報の一例を示す図である。
【図６】出入り管理情報の一例を示す図である。
【図７】受信処理の一例を示すフローチャートである。
【図８】出入り管理処理の一例を示すフローチャートである。
【図９】社員の出入りを示す図である。
【図１０】出入り管理情報の具体例を示す図である。
【図１１】仮記憶領域の具体例を示す図である。
【図１２】出入り管理情報の具体例を示す図である。
【図１３】出入り管理情報の具体例を示す図である。
【図１４】実施の形態２によるゲートアンテナの設置の様子を示す図であり、図２（ａ）は建物の出入り口の正面図、図２（ａ）は建物の出入り口の断面図である。
【符号の説明】
【００４６】
１  ＩＣタグ（情報媒体）
２  内部アンテナ（第２のアンテナ）
３  外部アンテナ（第１のアンテナ）
４  読み取り装置（処理手段）
５  管理端末（処理手段）
６  通信線
【図１】
2009003894.tif 000003
【図２】
2009003894.tif 000004
【図３】
2009003894.tif 000005
【図４】
2009003894.tif 000006
【図５】
2009003894.tif 000007
【図６】
2009003894.tif 000008
【図７】
2009003894.tif 000009
【図８】
2009003894.tif 000010
【図９】
2009003894.tif 000011
【図１０】
2009003894.tif 000012
【図１１】
2009003894.tif 000013
【図１２】
2009003894.tif 000014
【図１３】
2009003894.tif 000015
【図１４】
2009003894.tif 000016